(57)【要約】【解決手段】伏臥状態の患者の上半身を支持することができる上半身支持部５１によって上半身を支持されている伏臥状態の患者の下半身を支持することができるマット状の下半身支持部５２が、少なくとも１つの座板構成体１１を含む複数のマット状の支持ユニット１１、５３〜５５から構成され、上記複数のマット状支持ユニット１１、５３〜５５のうちの少なくとも１つのマット状支持ユニット５３、５５が、上半身支持部形成位置と下半身支持部の形成解除位置との間を往復動し得るようにした。【効果】検診台にかなり長い時間横になって体を安静にしている必要がある患者が、精神的および肉体的に甚しく疲労する恐れがなく、また、患者の脚に褥瘡（すなわち、床擦れ）などの損傷を生じる恐れもない。さらに、検診台１の構成が比較的簡単であるとともに、マット状下半身支持部５２の形成およびその解除を比較的迅速に行うことができる。【選択図】　　　図９
2004135697.tif 000002
【特許請求の範囲】
【請求項１】
患者の少なくとも背を支持することができる背板と、患者の臀を支持することができる座板とを少なくとも備え、
上記背板が起立状態から倒伏状態へと往動することができる検診台において、仰臥状態の患者の上半身を支持することができるマット状の上半身支持部が、上記背板を含む少なくとも１つのマット状の支持ユニットから構成されるとともに、
上記上半身支持部によって上半身を支持されている仰臥状態の患者の下半身を支持することができるマット状の下半身支持部が、上記座板を構成している少なくとも１つの座板構成体を含む複数のマット状の支持ユニットから構成され、
上記下半身支持部の形成を解除するために、上記複数のマット状支持ユニットのうちの少なくとも１つのマット状支持ユニットが、上記下半身支持部の形成位置と上記下半身支持部の形成解除位置との間を往復動し得るように構成したことを特徴とする検診台。
【請求項２】
上記複数のマット状支持ユニットのうちの上記少なくとも１つのマット状支持ユニットが、上記下半身支持部の形成解除位置から前方に向って斜め上方にある上記下半身支持部の上記形成位置まで往動することによって、上記複数のマット状支持ユニットのうちの別の１つのマット状支持ユニットの前方においてこの別の１つのマット状支持ユニットに隣接するように構成したことを特徴とする請求項１に記載の検診台。
【請求項３】
上記下半身支持部を構成する第１および第２のマット状支持ユニットが、上記下半身支持部の形成解除状態においては互いに重ね合わせられ、
上記下半身支持部の上記形成解除状態から上記下半身支持部の形成状態に移行する過程において、上記第１および第２のマット状支持ユニットの少なくとも一方が往動して、これら第１および第２のマット状支持ユニットが前後方向において互いに隣接するように構成した請求項１または２に記載の検診台。
【請求項４】
患者の脚を支持することができる左右の脚受けをさらに備え、
上記左右の脚受けが、上記上半身支持部と上記下半身支持部とから構成されたマット状の全身支持部の左右両側でかつ上方に位置し得るように構成したことを特徴とする請求項１〜３のうちのいずれか１項に記載の検診台。
【発明の詳細な説明】
【０００１】
本発明は、患者の少なくとも背を支持することができる背板と、患者の臀を支持することができる座板とを少なくとも備え、上記背板が起立状態から倒伏状態へと往動することができる検診台に関するものである。
【０００２】
【従来の技術】
従来から市販されている婦人科用検診台のうちの或る種のタイプのもの（以下、「前記従来の検診台」という）は、患者の背を支持することができる背板と、患者の腰を支持することができる腰板と、患者の臀を支持することができる座板と、患者の腕を支持することができる左右一対の肘受けと、患者の左右の大腿部および／または膝を支持することができる左右一対の股受けと、患者の左右の足首および／またはふくら脛を支持することができる左右一対の踵受けとを備えている。そして、これらの背板、腰板、座板、左右一対の肘受け、左右一対の股受けおよび左右一対の踵受けは、昇降機構を備えた基台の可動フレームにそれぞれ直接または間接的に取付けられている。また、背板は、腰板、座板、左右一対の肘受け、左右一対の股受けおよび左右一対の踵受けを伴なって往回動することができる。
【０００３】
したがって、医者が前記従来の検診台を用いて患者の診察や治療を行う場合には、まず、患者は、昇降機構が基台の可動フレームを最下方位置に保持しかつ背板が起立した状態において検診台に着座する。具体的には、患者は、左右一対の肘受け、左右一対の股受けおよび左右一対の踵受けの間から座板、腰板および背板に近づいてから、背を背板に預けかつ腰を腰板に当接させるようにして座板上に深く座る。そして、患者は、左右の腕を左右一対の肘受けにかつ左右の大腿部および／または膝を左右一対の股受けにかつ左右の足首および／またはふくら脛を左右一対の踵受けにそれぞれ載せる。
【０００４】
ついで、医師または看護師は、患者の膣の診察および／または治療を目的として、操作ボタンなどを操作することにより検診台を作動させる。具体的には、昇降機構を駆動させて座板、腰板、背板、左右一対の肘受け、左右一対の股受けおよび左右一対の踵受けを所望の高さにするとともに、起立状態にある背板を腰板、左右一対の肘受け、左右一対の股受けおよび左右一対の踵受けを伴なって所望の角度まで倒伏させる。このために、患者は、背板および腰板に背および腰を預けるとともに腕、大腿部（および／または膝）および足首（および／またはふくら脛）を肘受け、股受けおよび踵受けに載せた状態で仰臥状態になる。したがって、医師は、患者に対して必要な診察や必要な治療を比較的容易に行うことができる。
【０００５】
一方、前記従来の検診台を用いて医師の診察や治療を受けているか、あるいは、受け終わった患者の局部から出血して血流が止まり難いときがある。そして、このような場合には、患者は、前記従来の検診台上にかなり長い時間横になって体を安静にさせている必要がある。
【０００６】
【発明が解決しようとする課題】
しかし、患者が前記従来の検診台上にかなり長い時間横になる場合、患者は、上半身を背板、腰板および左右一対の肘受けで支持されることができるが、下半身は左右の脚（具体的には、大腿部および／または膝ならびに足首および／またはふくら脛）を左右一対の股受けならびに左右一対の踵受けで支持されるだけである。このために、患者は、左右の脚の位置をほぼ拘束されてしまうから、かなり長い時間ほぼ同じ姿勢で仰臥状態を保つ必要があって、この仰臥状態から横臥状態（すなわち、横向きに寝た状態）や伏臥状態になることができない。したがって、患者が精神的および肉体的に甚しく疲労する恐れがあり、また、患者の体に褥瘡（すなわち、床擦れ）などの損傷を生じる恐れがある。
【０００７】
本発明は、前記従来の検診台の上述のような欠点を比較的簡単な構成により効果的に是正し得るようにしたものである。
【０００８】
【課題を解決するための手段】
本発明は、患者の少なくとも背を支持することができる背板と、患者の臀を支持することができる座板とを少なくとも備え、上記背板が起立状態から倒伏状態へと往動することができる検診台において、仰臥状態の患者の上半身を支持することができるマット状の上半身支持部が、上記背板を含む少なくとも１つのマット状の支持ユニットから構成されるとともに、上記上半身支持部によって上半身を支持されている仰臥状態の患者の下半身を支持することができるマット状の下半身支持部が、上記座板を構成している少なくとも１つの座板構成体（例えば、座板、座板本体および座板補助体のうちの１つまたは複数）を含む複数のマット状の支持ユニットから構成され、上記下半身支持部の形成を解除するために、上記複数のマット状支持ユニットのうちの少なくとも１つのマット状支持ユニットが、上記下半身支持部の形成位置と上記下半身支持部の形成解除位置との間を往復動し得るように構成したものである。
【０００９】
本発明においては、上記複数のマット状支持ユニットのうちの上記少なくとも１つのマット状支持ユニットが、上記下半身支持部の形成解除位置から前方に向って斜め上方にある上記下半身支持部の上記形成位置まで往動（例えば、直線往動およびその後に往回動）することによって、上記複数のマット状支持ユニットのうちの別の１つのマット状支持ユニットの前方においてこの別の１つのマット状支持ユニットに隣接するように構成することができる。また、本発明においては、上記下半身支持部を構成する第１および第２のマット状支持ユニットが、上記下半身支持部の形成解除状態においては互いに重ね合わせられ、上記下半身支持部の上記形成解除状態から上記下半身支持部の形成状態に移行する過程において、上記第１および第２のマット状支持ユニットの少なくとも一方が往動して、これら第１および第２のマット状支持ユニットが前後方向において互いに隣接するように構成することができる。さらに、本発明においては、患者の脚を支持することができる左右の脚受け（例えば、股受けおよび踵受けのうちの１つまたは両方）をさらに備え、上記左右の脚受けが、上記上半身支持部と上記下半身支持部とから構成されたマット状の全身支持部の左右両側でかつ上方に位置し得るように構成することができる。
【００１０】
【発明の実施の形態】
つぎに、本発明を婦人科用検診台に適用した一実施例を、「（１）検診台の構成」および「（２）検診台の作用」に項分けして、図面を参照しつつ説明する。
【００１１】
（１）検診台の構成
婦人科用検診台１は、図１〜図３などに示すように、婦人科の診療室の床面上などに設置される基台２を備えている。なお、この基台２は、図示の場合には、図示を簡略化するために、上記床面上などにほぼ水平に配置される水平基板部３と、この基板部３上に一体的に立設された左右一対の垂直基板部４ａ、４ｂとから成っているが、実際には、左右一対の垂直基板部４ａ、４ｂの上半部分と水平基板部３との間に従来から周知の昇降機構（図示せず）が配設されている。そして、この昇降機構によって垂直基板部４ａ、４ｂの上半部分の上下方向における高さ位置を必要に応じて任意に調節し得るようになっている。
【００１２】
図２、図３などに示すように、左右一対の垂直基板部４ａ、４ｂの例えば上端部には、支持板部５がそれぞれ一体的に突設されている。そして、これらの支持板部５には、ほぼはしご形状の背板フレーム６が軸９を回動中心として回動可能なように取付けられている。具体的には、この取付けのために、背板フレーム６に左右一対の被取付け耳部８が設けられている。そして、これらの被取付け耳部８が軸９によって左右一対の支持板部５にそれぞれ取付けられている。この場合、軸９は、左右一対の支持板部５にそれぞれ個別に支持されている左右一対の短軸から成っていてもよいし、あるいは、左右一対の支持板部５にそれらの両端部をそれぞれ支持されている一本の長軸から成っていてもよい。
【００１３】
背板フレーム６の前面側には、図１、図２などに示すように、背板１２が取付け固定されている。また、背板フレーム６には、ほぼ長方形状の腰板フレーム１４が取付けられている。なお、この腰板フレーム１４は、背板フレーム６に対して軸（図示せず）を回動中心として往復回動し得るようになっていてよい。さらに、腰板フレーム１４の前面側には、図２、図３などに示すように、腰板（すなわち、ランバーサポート）２１が取付け固定されている。そして、この腰板２１は、図１および図２に示すように背板１２が起立した初期状態（以下、「背板起立状態」という）においては、図２に示すように、背板１２のほぼ下方に隣接してこの背板１２に対してほぼ一直線上に配置され得るように構成されている。
【００１４】
腰板フレーム１４の左右両側面には、図１および図２などに示すように、左右一対の支持アーム（図示せず）をそれぞれ介して左右一対の肘受け１３ａ、１３ｂが取付け固定されている。なお、これら左右一対の肘受け１３ａ、１３ｂは、図１および図２に示す背板起立状態において背板１２の左右両側の下端附近（換言すれば、腰板２１の左右両側の上端附近）に位置するように、腰板フレーム１４にそれぞれ取付け固定されていてよい。また、これらの肘受け１３ａ、１３ｂは、腰板フレーム１４（換言すれば、腰板２１）と一体的に往復回動し得るだけでなく、必要に応じて腰板フレーム１４と別個に単独で往復回動し得るように、腰板フレーム１４にそれぞれ回動可能に取付けられることができる。なお、前記左右一対の支持アーム２０ａ、２０ｂが腰板フレーム１４側から背板フレーム６を跨いで肘受け１３ａ、１３ｂ側に延びるようにするために、背板フレーム６に左右一対の凹部（図示せず）を設けてもよいし、また、少なくとも前記支持アームの取付け位置において腰板フレーム１４を背板フレーム６よりも厚さ方向において突出させてもよいし、さらに、前記支持アーム２０ａ、２０ｂをそれぞれほぼＵ字形状に構成してもよい。
【００１５】
腰板フレーム１４には、回転駆動源としての左右一対の電動モータ（図示せず）によって往復回転駆動される左右一対の回転軸（図示せず）が取付けられている。そして、これらの回転軸には、左右一対の支持アーム２８ａ、２８ｂの基端部がそれぞれ取付けられている。また、これらの支持アーム２８ａ、２８ｂの先端部には、左右一対の座板補助体兼用の股受け３２ａ、３２ｂがそれぞれ取付けられている。したがって、上記左右一対の回転軸の往復回動によって、上記股受け３２ａ、３２ｂは、図１に示す閉状態から図３などに示す開状態に往動することができるとともに、これとは逆に復動することもできる。
【００１６】
左右一対の座板補助体兼用の股受け３２ａ、３２ｂは、図１および図２に示す背板起立状態において上方から見てほぼＬ字形状およびほぼ逆Ｌ字形状で比較的大きな厚みを有するようにそれぞれ構成されている。そして、背板起立状態においては、股受け３２ａは、下半身支持部形成機構１０の座板本体１１の左側面と前面の左半分とにそれぞれ隣接し、また、股受け３２ｂは、座板本体１１の右側面と前面の右半分とにそれぞれ隣接している。このために、座板本体１１と左右一対の股受け３２ａ、３２ｂとによって全体としてほぼ直方体形状の座板３４が構成されている。
【００１７】
背板フレーム６には、図２、図４などに示すように、取付け耳部４２が設けられている。そして、この取付け耳部４２には、直線往復駆動源（換言すれば、伸縮駆動源）としてのシリンダ機構４４の一端部（背板起立状態における上端部）が連結されている。なお、このシリンダ機構４４は、電動モータ（図示せず）の往復回転を歯車機構（図示せず）によって直線往復動に変換するねじジャッキ式またはラックジャッキ式のもの、油圧シリンダ、エアシリンダなどの気体圧シリンダ、プランジャ・ソレノイドなどの任意のシリンダ機構であってよい。そしてシリンダ機構４４の他端部（背板起立状態における下端部）は、左右一対の垂直基板部４ａ、４ｂを連結している連結部材（図示せず）に突設された取付け耳部４６に連結されている。
【００１８】
図示の婦人科用検診台１は、図９、図１０などに示すように、患者の主として上半身を支持することができるマット状の上半身支持部５１と、患者の主として下半身を支持することができるマット状の下半身支持部５２とを備えている。そして、上半身支持部５１は、背板１２とこの背板１２に隣接している腰板２１とから構成されている。また、下半身支持部５２は、座板本体（すなわち、座板構成体）１１を備えている下半身支持部形成機構１０によって選択的に形成されるようになっている。そして、下半身支持部５２は、前方から後方に向って順次隣接してほぼ一列にかつ全体としてほぼ水平な状態（すなわち、下半身支持部形成状態）に配列されることができる４つのマット状支持ユニット（すなわち、前側支持ユニット５３、座板本体（換言すれば、前側中間支持ユニット）１１、後側中間支持ユニット５４および後側支持ユニット５５）とから構成されることができる。
【００１９】
後側支持ユニット５５は、前側面および後側面がそれぞれ開放された偏平でほぼ逆Ｕ字形状の箱蓋型に構成され、そして、下半身支持部収納状態においては、図１、図２などに示すように、偏平な後側中間支持ユニット５４の上に箱蓋状に嵌め込まれている。そして、この嵌め込まれた状態（換言すれば、後側支持ユニット５５の下側空間に後側中間支持ユニット５４が収容されて両者が上下に重ね合わせられた状態）においては、後側支持ユニット５５および後側中間支持ユニット５４は、全体としてほぼ平板状に構成されている。また、この全体としてほぼ平板状の後側支持ユニット５５および後側中間支持ユニット５４は、背板起立状態においては、座板本体１１のほぼ後方に隣接するとともに、腰板２１のほぼ前面またはこの前面よりも多少後方においてその前端部が腰板２１の下方に隣接している。しかし、全体としてほぼ平板状の後側支持ユニット５５および後側中間支持ユニット５４は、背板起立状態において、座板本体１１のほぼ後方に隣接するとともに、その前端部が腰板２１の前面よりも多少前方（例えば、その前半部分のみが腰板２１の前面よりも前方）に位置するようになっていてもよい。したがって、この場合には、座板３４は、３種類の座板構成体（すなわち、座板本体１１、左右一対の股受け３２ａ、３２ｂおよび後側支持ユニット５５）から構成されることになる。そして、この場合、後側中間支持ユニット５４は、後側支持ユニット５５を必要に応じて補強することができるので、座板補強体として機能する。
【００２０】
つぎに、下半身支持部形成機構１０の構成について詳細に説明すると、下半身支持部形成機構１０は、図２、図１１などに示すように、この下半身支持部形成機構１０を背板フレーム６の被取付け耳部８などに軸１５を回動中心として回動可能に支持している左右一対の支持部材（すなわち、支持レバー）１６をそれぞれ備えている。そして、これらの支持部材１６には、図１１、図２０などに示すように、軸１７を回動中心として回動可能なように左右一対の取付け板１８がそれぞれ連結されている。
【００２１】
左右一対の支持部材１６には、図２、図１１などに示すように、駆動軸２２を回転中心として回動可能なように左右一対の作動アーム２３の基端部がそれぞれ取付けられている。そして、これらの作動アーム２３の先端部には、ならいローラ２４が回転可能に取付けられている。また、これらの作動アーム２３は、電動モータなどの回転駆動源（図示せず）により駆動軸２２を往復回動させることによって往復回動し得るように、駆動軸２２に直結されている。さらに、背板フレーム６には、ならいローラ２４が転動し得るガイド面２５ａを有するガイド部材２５が取付け固定されている。
【００２２】
左右一対の取付け板１８には、図２０などに示すように、左右一対の平行リング機構をそれぞれ構成している前後一対のリンク３５、３６の一端部がそれぞれ回動可能なように取付けられている。そして、これら前後一対のリンク３５、３６の他端部は、後側支持ユニット５５に回動可能に取付けられている。したがって、これら前後一対のリンク３５、３６が上記一端部を回動中心として図１５における時計方向に往回動したときに、後側支持ユニット５５はほぼ水平な状態を保ったままで後方に往動して後側中間支持ユニット５４のほぼ後方に隣接する位置まで移動することができる。
【００２３】
左右一対の支持レバー１６には、図２０などに示すように、軸３７を回動中心としてそれぞれ往回動可能なように左右一対のロック解除部材（すなわち、ロック解除レバー）３８がそれぞれ取付けられている。そして、これらのロック解除レバー３８には、ほぼ扇形状のロック解除作動部の一側面から構成されたロック解除作動面３８ａがそれぞれ設けられている。また、左右一対の取付け板１８には、軸４７を回動中心として回動可能なようにロック部材（すなわち、ロックレバー）４８の基端部が取付けられている。そして、このロックレバー４８の先端部によって構成されている鉤形状の係合部４８ａが軸３７に係合し得るようになっている。さらに、左右一対の支持部材１６には、左右一対のストッパ用軸４９がそれぞれ突設されている。そして、これらストッパ用の軸４９には、左右一対のロックレバー４８の係合部４８ａがそれぞれ選択的に係合するようになっている。
【００２４】
左右一対の取付け板１８には、図２０などに示すように、軸６１の左右両端部がそれぞれ取付け固定されている。そして、この軸６１には、この軸６１を回動中心として回動可能なように作動アーム６２が取付けられている。また、この作動アーム６２の一端部には、軸６４を回動中心として回動可能なように連結アーム６３が取付けられている。さらに、左右一対の取付け板１８には、リンク３５の前記一端部を円の中心とするほぼ円弧状の貫通孔５８がそれぞれ形成されている。そして、連結アーム６３の他端部は、これらの貫通孔５８にそれらの左右両端部が挿入されている軸６０を回動中心として回動可能なようにこの軸６０に連結されている。また、この軸６０の左右両端部には、左右一対のリンク３５の中間部分がそれぞれ回動可能に連結されている。そして、作動アーム６２の他端部には、被作動部材としての被作動ローラ５９が回転可能に取付けられている。さらに、左右一対の取付け板１８には、座板本体１１と後側中間支持ユニット５４とが相前後して互いに隣接しかつ全体としてほぼ水平な状態になるように取付け固定されている。
【００２５】
後側中間支持ユニット５４（場合によっては、座板本体１１）は、その一側端部（例えば、後側端部）を回動中心として上方に向って往回動し得るように構成されていてもよい。この場合、後側中間支持ユニット５４（または座板本体１１）の上記往回動によって、上記支持ユニット５４（または座板本体１１）の下方に予め位置しているロール状の使い捨てシーツ（図示せず）の一部分を外部に取出し得るようにすることができる。
【００２６】
左右一対の取付け板１８には、図２０などに示すように、左右一対のガイドレール６５が取付け固定されている。そして、これらのガイドレール６５には、下半身支持部形成機構１０がほぼ水平な状態にあるときに後方から前方に向って斜め上方に引き出し得るように、左右一対の被ガイド部材６６が往復動可能（具体的には、往復摺動可能）に取付けられている。また、これらの被ガイド部材６６には、左右一対の蝶番６７の一片（すなわち、一方の回動片）６７ａがそれぞれ取付け固定されている。そして、これらの蝶番６７の一片（すなわち、他方の回動片）６７ｂは、前側支持ユニット５３に取付け固定されている。したがって、前側支持ユニット５３は、ガイドレール６５に間接的にガイドされて被ガイド部材６６と一体となって直線往復動可能であるとともに、左右一対の蝶番６７のヒンジ部を回動中心として被ガイド部材６６に対して往復回動可能になっている。
【００２７】
左右一対の被ガイド部材６６には、図２０などに示すように、左右一対のガイド溝形成板部６６ａがそれぞれ突設されている。そして、これらのガイド溝形成板部６６ａには、への字状のガイド溝６８がそれぞれ形成されている。また、前側支持ユニット５３の左右両側端部には、左右一対の取付け耳部５３ａがそれぞれ突設されている。そして、これらの取付け耳部５３ａには、軸６９を回動中心として回動可能なように左右一対の位置保持用ロッド（すなわち、位置保持用部材）７０の基端部がそれぞれ取付けられている。そして、これらの位置保持用ロッド７０の先端部に形成されている屈曲部７０ａは、左右一対のガイド溝６８によってそれぞれガイドされ得るように、これらのガイド溝６８に挿入されている。
【００２８】
左右一対の被ガイド部材６６には、図２０などに示すように、下半身支持部形成機構１０がほぼ水平な状態においてほぼ相前後するように、前後一対の作動部材７１、７２が取付けられている。そして、すくなくとも一方（すなわち、後方側）の作動部材７２は、弾性を有するのが好ましく、また、復元幇助用の傾斜片部７２ａを備えているのが好ましい。さらに、これら一対の作動部材７２の間には、作動アーム６２の被作動ローラ５９が挿入されている。
【００２９】
（２）検診台の作用
つぎに、上述のように構成された本発明による婦人科用検診台１の作用を図面を参照しつつ説明する。
【００３０】
図１〜図２０に示す婦人科用検診台１を使用する際には、予め、従来から周知のように昇降機構（図示せず）が可動フレームとしての左右一対の垂直基板部４ａ、４ｂの上半部分を最下方位置に保持しかつ背板１２が起立した初期状態にしておく。この場合、腰板２１も背板１２と同様に起立した状態でこの背板１２の下方に隣接しかつ背板１２とほぼ直線状に並んでいる。また、座板本体１１は、その後端付近が腰板２１の下端付近に隣接しかつこの腰板２１とほぼ直交した状態（換言すれば、ほぼ水平状態）になっている。さらに、左右一対の座板補助体兼用の股受け３２ａ、３２ｂは、既述のように、座板本体１１とともにほぼ直方体形状の座板３４を構成している。
【００３１】
ついで、患者は、その腰および背を腰板２１および背板１２にそれぞれ預けるようにして座板３４上に深く座る。この場合、患者は、左右の脚（具体的には、大腿部および／または膝）を左右の股受け３２ａ、３２ｂにそれぞれ載せておく。
【００３２】
ついで、医者または看護師は、患者の診察を目的として、操作ボタンなどの操作手段（図示せず）を操作することにより検診台１を作動させる。
【００３３】
具体的には、まず、図２などに示すシリンダ機構４４を短縮する方向に作動させることによって、図１および図２に示すように起立状態にある背板１２および腰板２１を図３、図４などに示すように所望の角度（例えば、ほぼ水平状態）まで倒伏させる。なお、シリンダ機構４４が短縮する方向に往動すると、背板フレーム６の取付け耳部４２は、シリンダ機構４４によって取付け耳部４６に向って牽引されるので、軸９を回動中心として図２の時計方向に往回動する。このために、背板フレーム６（ひいては、背板１２）も、軸９を回動中心として同様に往回動する。また、腰板２１、座板補助体兼用の股受け３２ａ、３２ｂおよび肘受け１３ａ、１３ｂも、背板フレーム６（ひいては、背板１２）と同様に、軸９を回動中心として往回動する。しかし、左右一対の支持部材１６（ひいては、座板本体１１）は、背板フレーム６の被取付け耳部８の同様の往回動によって多少往回動するだけであるから、元の位置附近（すなわち、初期位置附近）に取り残される。
【００３４】
上述のように、背板１２、腰板２１、股受け３２ａ、３２ｂおよび肘受け１３ａ、１３ｂが互いに一体的に往回動するときの往回動の回動中心である軸９は、背板起立状態にある腰板２１の上下方向における下端から上方へ向って約９／１０の高さ位置（換言すれば、腰板２１の上端から下方へ向って約１／１０の高さ位置）にある。このために、背板１２および腰板２１の上記往回動によって、腰板２１は、背板１２と一体的になって往回動しつつ前方へ迫り出してくる。したがって、患者は、腰板２１および背板１２に腰および背を預けた状態で仰臥状態になるとともに、腰板２１の前方への迫り出しにともなって腰を前方へ迫り出すことになる。また、患者の脚は、左右一対の股受け３２ａ、３２ｂの上述の往回動にともなって上方に持ち上げられる。
【００３５】
ついで、左右一対の股受け３２ａ、３２ｂを図１および図２に示す復動状態（すなわち、閉じ状態）から図３および図４に示す往動状態（すなわち、開き状態）へと往回動させる。この場合、左右一対の支持アーム２８ａ、２８ｂ（ひいては、左右一対の股受け３２ａ、３２ｂ）が既述のように前記回転軸を回動中心として往回動して左右両側に開いた状態になるので、患者の左右の脚は左右両側に開かれる。
【００３６】
この場合、腰板フレーム１４（ひいては、腰板２１）を回動駆動機構（図示せず）によって背板１２側の側端部（すなわち、背板起立状態における上側端部）に設けた軸（図示せず）を回動中心として図４の時計方向に往回動させるように構成することができる。このために、腰板２１は、この往回動によって、図３および図４に示すほぼ水平な状態において、背板１２に対して前端側から上方に持ち上がるように往回動する。したがって、患者は、背に対して腰を迫り上がらせることになる。また、腰板フレーム１４が上述のように往回動すると、この腰板フレーム１４に前記回転軸を介して連結されている左右一対の支持アーム２８ａ、２８ｂ（ひいては、左右一対の股受け３２ａ、３２ｂ）や、この腰板フレーム１４に前記支持アームを介して連結されている左右一対の肘受け１３ａ、１３ｂも、同様に前記軸を回動中心として往回動する。このために、左右一対の股受け３２ａ、３２ｂおよび左右一対の肘受け１３ａ、１３ｂは腰板２１と実質的に一体的に往回動するから、患者は、腰の位置に対する左右の脚および左右の肘の相対的な位置をほとんど変えられることなく、腰と左右の脚と左右の肘とを同時に持ち上げられる。
【００３７】
一方、図３および図４に示す背板倒伏状態（換言すれば、診察好適状態）にある婦人科用検診台１を図１および図２に示す背板起立状態に戻したいときには、上記背板起立状態から上記背板倒伏状態にした場合とは逆の動作を行わせればよい。
【００３８】
上述のとおりであるから、図示の婦人科用検診台１によれば、
【００３９】
（ａ）背板１２の倒伏状態においてこの背板１２に対して腰板２１を迫り上がりのために往回動させ得るようにしたので、患者の頭部側を下げずに腰のみを迫り上がらせることができる。このために、患者に恐怖感を与えずに診察を行うことができるとともに、患者の診察部位の最前端である膣口に医師が近づき易くて医師による診察が容易である。
【００４０】
（ｂ）腰板２１を背板１２と一体的に往回動させるときや、腰板２１を背板１２に対して迫り上がらせるときに、股受け３２ａ、３２ｂおよび肘受け１３ａ、１３ｂも腰板２１と一体的に往回動するようにした。このために、患者に恐怖感を与えることが一層少なくなる。また、患者の腰などを微調整のために何回も移動させなくても、患者に容易に最適な診察体位をとらせることができる。
【００４１】
（ｃ）患者の診察部位の最前端である膣口が、背板１２と一体的になった腰板２１の前方および上方への迫り出しによって、医師から比較的近い位置まで前方および上方へ迫り出してくるようにした。このために、医師による診察がさらに容易になるから、医師や看護師が婦人科用検診台１上で患者の腰などを大幅に移動させる必要がなくて、労働負荷の軽減を図ることができる。
という効果を奏する。
【００４２】
一方、図示の婦人科用検診台１を使用して医師の診察や治療を受けているか、あるいは、受け終わった患者の局部から出血して血流が止まり難いときがある。そして、このような場合には、患者はかなり長い時間横になって体を安静にしている必要がある。
【００４３】
しかし、患者が図３および図４に示す状態の婦人科用検診台１上にかなり長い時間横になる場合、患者は、上半身を背板１２、腰板２１および左右一対の肘受け１３ａ、１３ｂで支持されることができるが、下半身は左右の脚（具体的には、大腿部および／または膝）を左右一対の股受け３２ａ、３２ｂで支持されるだけである。このために、患者は、かなり長い時間診察時とほぼ同じ姿勢で仰臥状態を保つ必要があるから、この仰臥状態から横臥状態や伏臥状態になることができない。このような場合、図示の婦人科用検診台１においては、図９、図１０および図１８に示すように、下半身支持部形成機構１０によって下半身支持部５２を形成するようにしている。
【００４４】
この下半身支持部５２は、図９に示すように、４つのマット状支持ユニット（すなわち、前側中間支持ユニットとしての座板本体１１、前側支持ユニット５３、後側中間支持ユニット５４および後側支持ユニット５５）から構成される。そして、これら４つの支持ユニット１１、５３〜５５は、いずれも、その表面がほぼ平坦でかつほぼ長方形状であるマット状に構成され、しかも、その幅が互いにほぼ等しく構成されている。したがって、下半身支持部５２は、図９に示すように、全体としてその表面がほぼ平坦でかつほぼ長方形状（ただし、前端側から後端側に向って多少末広がりの形状）であるマット状に構成されているので、患者の下半身全体を実質的に直接支持することができる。
【００４５】
この下半身支持部５２は、上半身支持部５１の前方にこの上半身支持部５１に隣接してほぼ水平な状態に形成される。そして、この上半身支持部５１は、図９に示すように、２つのマット状支持ユニット（すなわち、背板１２におよび腰板２１）から構成される。そして、これら２つの支持ユニット１２、２１は、いずれも、その表面がほぼ平坦でかつほぼ長方形状であるマット状に構成され、しかも、その幅が互いにほぼ等しく構成されている。したがって、上半身支持部５１も、図９に示すように、全体としてその表面がほぼ平坦でかつほぼ長方形状であるマット状に構成されているので、患者の上半身全体を実質的に直接支持することができる。
【００４６】
上半身支持部５１および下半身支持部５２は、後方から前方に向ってほぼ一列に配置されかつ全体としてほぼ水平な状態であるから、全体としてその表面がほぼ平坦でほぼ長方形状（ただし、前端側から後端側に向って多少末広がりの形状）であるマット状に構成されていて、全体として寝台用マットのようになる。このために、その上半身を上半身支持部５１に支持されている患者は、この寝台用マットの左右両側でかつ上方にそれぞれ位置している左右の股受け３２ａ、３２ｂから下半身支持部５２上に左右の脚を順次また同時に降ろして、上半身支持部５１および下半身支持部５２から成るマット上に寝台用マットの場合と同様に仰臥することができる。したがって、患者は、上記マット５１、５２上でこの仰臥状態から体の各部を比較的自由に動かして横臥状態や伏臥状態になったり、また、これとは逆の動きをしたりしながら、体を安静に保つことができる。
【００４７】
つぎに、下半身支持部形成機構１０の作用について詳細に説明すると、既述のように図１および図２に示す起立状態にある上半身支持部（すなわち、背板１２および腰板２１）が図３および図４に示す倒伏状態まで往回動したときに、背板フレーム６に取付け固定されている左右一対のガイド部材２５も軸９を回動中心として図２の時計方向にほぼ直角（具体的には約８０°）だけ往回動する。このとき、左右一対の作動アーム２３のならいローラ２４は、左右一対のガイド部材２５のガイド面２５ａ上を転動して、図１１に示す位置から図１２に示す位置に往動する。このために、左右一対の支持部材１６（ひいては、座板本体１１）は、既述のように、初期位置附近に取り残される。
【００４８】
下半身支持部形成機構１０によって下半身支持部５２を形成したいときには、まず、医師または看護師は、下半身支持部形成用の操作ボタンなどの操作手段（図示せず）を操作する。この操作によって駆動軸２２（ひいては、左右一対の作動アーム２３）が図１２の反時計方向に回動するので、左右一対のならいローラ２４は、左右一対のガイド部材２５のガイド面２５ａを上述の場合とは逆の方向に転動して、これらのガイド面２５ａに対する初期位置に復動する。したがって、下半身支持部形成機構１０は、背板フレーム６（ひいては、背板１２）に対して背板起立状態の場合と同様の位置関係になるので、上昇状態になる。
【００４９】
ついで、医師または看護師は、図１３に示す左右一対のロック解除レバー３８のうちのいずれか一方を手動操作により軸３７を回動中心として図１３の反時計方向に図１４に示す位置まで往回動させる。このために、軸３７が図１３の反時計方向に往回動するので、この軸３７の他方の端部に取付け固定されている他方のロック解除レバー３８も同様に往回動する。したがって、左右一対のロック解除レバー３８のロック解除作動面３８ａは、左右一対のロックレバー４８が軸４７を回動中心として図１４の反時計方向に回動する方向にこれらのロックレバー４８の係合部４８ａを押圧するので、これらのロックレバー４８の係合部４８ａは軸３７から離脱する。この結果、左右一対の取付け板１８（ひいては、座板本体１１を含むこれらの取付け部品）は、自重によって、軸１７を回動中心として左右一対の支持レバー１６に対して図１４の反時計方向に往回動する。
【００５０】
上記往回動は、左右一対のロックレバー４８の係合部４８ａが左右一対のストッパ用軸４９に係合するまで行われる。そして、この往回動によって、座板本体１１、後側中間支持ユニット５４および後側支持ユニット５５は、図１５に示すように、それぞれほぼ水平な状態になる。この場合、左右一対の支持レバー１６およびこれらの取付け部品が急激に往回動するのを防止するために、往回動を減速させるためのダンパー（図示せず）を必要に応じて設けることができる。
【００５１】
ついで、医師または看護師は、前側支持ユニット５３（ひいては、左右一対の被ガイド部材６６）を左右一対のガイドレール６５に沿ってそれぞれ斜め上方に引き出す。この場合、前側支持ユニット５３の前端部には、医師または看護師の指が掛かるように下方に突出した把手部５３ｂを設けることができる。この引き出しによって、左右一対の被ガイド部材６６が左右一対のガイドレール６５に沿って図１５に示す位置から図１６に示す位置を経て図１７に示す位置までそれぞれ往動する。このために、これらの被ガイド部材６６に取付けられている作動部材７２は被作動ローラ５９をその往動方向に押圧するので、この被作動ローラ５９が取付けられている作動アーム６２は軸６１を回動中心として図１５の時計方向に往回動する。
【００５２】
このように作動アーム６２が図１５の時計方向に往回動すると、連結アーム６３がそのほぼ長さ方向に沿ってほぼ後方に押圧されるので、軸６０が左右一対の貫通孔５８に沿ってそれらの前端部から後端部へと往動する。このために、左右一対のリンク３５（ひいては、左右一対のリンク３６）は、それらの下端部を回動中心として図１５の時計方向にそれぞれ往回動するので、後側支持ユニット５５は、後側中間ユニット５４の後方に往動する。
【００５３】
前側支持ユニット５３および左右一対の被ガイド部材６６がガイドレール６５に沿って図１５に示す位置から図１６に示す位置まで引き出される過程において、作動部材７２は被作動部材としての被作動ローラ５９を押し続ける。そして、前側支持ユニット５３および左右一対の被ガイド部材６６がガイドレール６５に沿って図１６に示す位置から図１７に示す位置まで引き出される過程において、被作動ローラ５９が作動部材７２の下方へ往動するので、被作動ローラ５９は作動部材７２の押圧から解放される。なお、作動部材７１、７２は、作動アーム６２に直接には当接し得ないように切欠き、逃げ（図示せず）などを有している。そして、この解放された時点またはそのすぐ後には、後側支持ユニット５５は、図１７に示すように、後側中間支持ユニット５４の後方にすでに往動している。
【００５４】
つぎに、医師または看護師は、図１７に示す前側支持ユニット５３の後端部附近に手を掛けてこの後端部附近を手動操作により持ち上げる。この場合、この前側支持ユニット５３は、蝶番６７のヒンジ部を回動中心として往回動するので、前側支持ユニット５３の後端部側が上昇してこの前側支持ユニット５３が図１８に示すようにほぼ水平な状態になる。このとき、前側支持ユニット５３に設けられている取付け耳部５３ａ（ひいては、位置保持用部材７０に設けられている軸６９）も同様に蝶番６７のヒンジ部を回動中心として往回動するので、位置保持用部材７０の屈曲部７０ａはガイド溝６８の一端部から他端部まで往動する。
【００５５】
この場合、前側支持ユニット５３を多少余分に往回動させてから多少復回動させると、屈曲部７０ａはガイド溝６８の上記他端部に確実に位置保持される。このために、前側支持ユニット５３が往回動する回動角度が規制されるとともに、この前側支持ユニット５３が上記ヒンジ部を回動中心として不測に復回動するのが防止される。また、前側支持ユニット５３が図１８に示すほぼ水平な状態になるまで上述のように往回動すると、前側支持ユニット５３の後端部が座板本体１１の前端部に接触するので、被ガイド部材６６がガイドレール６５に沿って復動するのが確実に阻止される。このために、既述のように座板本体１１および支持ユニット５３〜５５を互いに組み合わせることにより構成された下半身支持部５２を形成することができる。
【００５６】
一方、下半身支持部５２の上記組み合わせを解除して支持ユニット５３〜５５を初期位置に収納または配置したいときには、以下に述べる点を除いて、上述の下半身支持部５２の形成の場合とは逆の動作を行わせればよい。
【００５７】
すなわち、医師または看護師が上下に互いに重なり合った状態になった前側支持ユニット５３および被ガイド部材６６をガイドレール６５に沿って図１９に示す状態まで復動させる過程において、作動部材７２は作動アーム６２に取付けられている被作動ローラ５９の上方を通過する。しかし、作動部材７１は、作動部材７２よりも下方に長く突出しているので、被作動ローラ５９に当接してこの被作動ローラ５９をほぼ後方に向って押圧する。したがって、作動アーム６２は、軸６１を回動中心として復回動する。
【００５８】
また、医師または看護師は、左右一対の取付け板１８およびその取付け部品を手動操作により軸１７を回動中心として図１５の時計方向に復回動させて図１４に示す状態にする。このとき、左右一対のロック解除レバー３８（ひいては、軸３７）はばね力などにより図１３に示す状態に予め復回動しているので、左右一対の取付け板１８に取付けられていて同様に復回動する左右一対のロックレバー４８の係合部４８ａは、軸３７に再び係合する。
【００５９】
一方、図１８に示すように下半身支持部５２が形成されている状態において後側支持ユニット５５が誤って手動操作により復動させられた場合などには、作動アーム６２に設けられている被作動ローラ５９が予め復動位置に戻っている。このとき、上述のように前側支持ユニット５３および被ガイド部材６６が復動してくると、被作動ローラ５９が弾性的に支持されている作動部材７２の復元幇助用傾斜片部７２ａに当接するので、この傾斜片部７２ａは上記弾性によって下方に往動する。このために、被作動ローラ５９は、傾斜片部７２ａを相対的に乗り越えて、図１２に示すように前後一対の作動部材７１および７２の間に相対的に入り込む。したがって、このような場合でも、被作動ローラ５９は、初期位置に確実に復帰することができる。
【００６０】
上述のとおりであるから、図示の婦人科用検診台１によれば、
【００６１】
（ｄ）検診台１にかなり長い時間横になって体を安静にしている必要がある患者には、この患者の下半身全体を実質的に直接支持することができるマット状の下半身支持部５２を下半身支持部形成機構１０によって形成することができる。このために、このような患者は、背板１２および腰板２１から構成されたマット状の上半身支持部５１上に上半身を支持させるとともに、上記マット状下半身支持部５２上に下半身を支持させることができるから、仰臥状態から体の各部を比較的自由に動かして横臥状態や伏臥状態になったり、また、逆の動きをしたりしながら、体を安静に保つことができる。したがって、このような患者が診察時とほぼ同じ仰臥姿勢（特に、左右の脚を左右の股受けなどに支持された状態）で検診台１にかなり長い時間横になっている場合のように、患者が精神的および肉体的に甚しく疲労する恐れがなく、また、患者の体に褥瘡（すなわち、床擦れ）などの損傷を生じる恐れもない。
【００６２】
（ｅ）上半身支持部５１を構成する支持ユニットが背板１２および腰板２１から成り、また、下半身支持部５２を構成する支持ユニットに座板本体１１が含まれているから、婦人科用検診台１の構成が比較的簡単であるとともに、上半身支持部５１および下半身支持部５２から構成された全身支持部（すなわち、寝台用マット）を比較的迅速に形成することができ、また、この下半身支持部５２の形成を比較的迅速に解除することができる。
【００６３】
（ｆ）上半身支持部５１および下半身支持部５２から構成された寝台用マットの左右両側でかつ上方に左右一対の股受け３２ａ、３２ｂが位置することになるので、上半身を上半身支持部に支持されかつ左右の脚を左右一対の股受け３２ａ、３２ｂにそれぞれ支持されている患者は、左右一対の股受け３２ａ、３２ｂから下半身支持部５２上に左右の脚を順次または同時に降ろして、上半身支持部５１および下半身支持部５２から成るマット上に通常の寝台用マットの場合と同様に通常の姿勢での仰臥状態などをとることができる。したがって、患者は、診察のための開脚および仰臥状態から非開脚および仰臥状態への姿勢の変更や、これとは逆の変更を迅速に行うことができる。
という効果も奏する。
【００６４】
以上において、本発明の一実施例につき詳細に説明したが、本発明は、この実施例に限定されるものではなく、特許請求の範囲に記載された発明の趣旨に基づいて各種の変更および修正が可能である。
【００６５】
例えば、上述の実施例においては、背板１２とは別に腰板２１を設けたが、背板１２を下方に延長させて背板１２に腰板部を兼用させることなどにより腰板２１を省略することも可能である。そして、この場合には、上半身支持部５１を構成する支持ユニット（すなわち、上半身支持部構成体）を背板１２のみにすることもできる。
【００６６】
また、上述の実施例においては、下半身支持部５２を座板本体（すなわち、座板構成体）１１を含む４つの支持ユニット（すなわち、下半身支持部構成体）から構成したが、２つ、３つ、５つ以上などの任意の複数の支持ユニットから構成することができる。
【００６７】
また、上述の実施例においては、下半身支持部５２を構成する複数の支持ユニットのうちの１つだけを座板構成体１１にするとともに残りの３つを座板構成体以外の支持ユニット５３〜５５にしたが、上記複数の支持ユニットのうちの２つ以上を座板構成体としてもよく、また、１つ、２つ、４つ以上を座板構成体以外の支持ユニットとしてもよい。
【００６８】
また、上述の実施例においては、下半身支持部５２の形成解除状態においては互いに上下に重ね合わせられている後側中間支持ユニット５４および後側支持ユニット５５のうちの後側支持ユニット５５のみが、下半身支持部５２の形成状態に移行する過程において、後方へ往動するようにしたが、後側中間支持ユニット５４のみが前方へ往動するようにしてもよく、また、後側中間支持ユニット５４が前方へ往動するとともに後側支持ユニット５５が後方へ往動するようにしてもよい。
【００６９】
また、上述の実施例においては、前側支持ユニット５３が、下半身支持部５２の形成解除位置から前方に向って斜め上方にある下半身支持部５２の形成位置へ往動する際に、斜め上方に向って直線往動した後に往回動するようにしたが、カムとカム溝とを用いたならい動作、その他の往動動作でもって往動するようにしてもよい。
【００７０】
また、上述の実施例においては、左右一対のロック解除レバー３８のうちのいずれか一方（ひいては、軸３７および他方のロック解除レバー３８）の往回動と、前側支持ユニット５３（ひいては、左右一対の被ガイド部材６６）の左右一対のガイドレール６５に沿った引き出し（すなわち、直線往動）および押し入れ（すなわち、直線復動）と、前側支持ユニット５３の後端部付近の持ち上げ（すなわち、往回動）および押し下げ（すなわち、復回動）とをそれぞれ手動操作により行うようにした。しかし、これらの手動操作のうちの１つまたは複数もしくは全部が操作ボタンなどの操作手段を操作することにより自動的に行われるようにしてもよい。
【００７１】
また、上述の実施例においては、左右一対の脚受けを左右一対の股受け３２ａ、３２ｂのみから構成したが、前記従来の検診台の場合と同様に、左右一対の股受け３２ａ、３２ｂとは別に左右一対の踵受けをそれぞれ設けてもよく、また、左右一対の股受け３２ａ、３２ｂに代えて左右一対の踵受けだけをそれぞれ設けてもよい。
【００７２】
また、上述の実施例においては、座板３４を座板本体１１と左右一対の座板補助体兼用の脚受け３２ａ、３２ｂとから構成したが、脚受け３２ａ、３２ｂに座板補助体を兼用させることなく、座板本体１１を一回り大きくして単一の座板としてもよい。
【００７３】
また、上述の実施例においては、背板１２および腰板２１（ひいては、脚受け３２ａ、３２ｂおよび手受け１３ａ、１３ｂ）を起立状態から倒伏状態に往回動させるようにしたが、往回動以外の他の往動動作（例えば、カムとカム溝とを用いたならい動作）を行わせるようにしてもよい。
【００７４】
さらに、上述の実施例においては、腰板２１（ひいては、脚受け３２ａ、３２ｂおよび手受け１３ａ、１３ｂ）を背板１２に対して迫り上がるように往回動させるようにしたが、往回動以外の他の往動動作（例えば、カムとカム溝を用いたならい動作や、直線往動動作）を行わせるようにしてもよく、また、上記往回動を行わないようにしてもよい。
【００７５】
【発明の効果】
本発明は、検診台にかなり長い時間横になって体を安静にしている必要がある患者には、この患者の下半身を支持することができるマット状の下半身支持部を形成することができる。このために、このような患者は、マット状の上半身支持部上に上半身を支持させるとともに、上記マット状の下半身支持部上に下半身を支持させることができるから、仰臥状態から体の各部を比較的自由に動かして横臥状態や伏臥状態になったり、また、逆の動きをしたりしながら、体を安静に保つことができる。したがって、このような患者が診察時とほぼ同じ仰臥姿勢（特に、左右の脚を左右の脚受けなどに支持された状態）で検診台にかなり長い時間横になっている場合のように、患者が精神的および肉体的に甚しく疲労する恐れがなく、また、患者の体に褥瘡（すなわち、床擦れ）などの損傷を生じる恐れもない。
【００７６】
また、マット状の上半身支持部を構成する支持ユニットに背板が含まれるとともに、マット状の下半身支持部を構成する支持ユニットに座板構成体が含まれているから、検診台の構成が比較的簡単であるとともに、マット状上半身支持部およびマット状下半身支持部から構成されたマット状全身支持部を比較的迅速に形成することができ、また、マット状の下半身支持部の形成を比較的迅速に解除することができる。
【００７７】
また、請求項２および３に記載の発明によれば、マット状の下半身支持部を構成するマット状支持ユニットに下半身支持部の形成位置と形成解除位置との間を確実かつ迅速に往復動させることができ、また、下半身支持部形成機構の構成を簡単化することができる。
【００７８】
さらに、請求項４に記載の発明によれば、マット状上半身支持部とマット状下半身支持部とから構成されたマット状の全身支持部の左右両側でかつ上方に左右一対の脚受けが位置することになるので、上半身を上半身支持部に支持されかつ左右の脚を左右一対の脚受けにそれぞれ支持されている患者は、左右一対の脚受けからマット状下半身支持部上に左右の脚を順次または同時に降ろして、マット状上半身支持部およびマット状下半身支持部から構成されたマット状全身支持部上に通常の寝台用マットの場合と同様に通常の姿勢での仰臥状態などをとることができる。したがって、患者は、診察のための開脚および仰臥状態から非開脚および仰臥状態への姿勢の変更や、これとは逆の変更を迅速に行うことができる。
【図面の簡単な説明】
【図１】本発明を婦人科用検診台に適用した一実施例おける検診台の背板起立状態での斜視図である。
【図２】図１の検診台の図１と同じ状態での右側面図である。
【図３】図１の検診台の背板倒伏および股受け開き状態での斜視図である。
【図４】図３の検診台の図３と同じ状態での右側面図である。
【図５】図３の検診台の、下半身支持部形成機構の上昇状態での斜視図である。
【図６】図５の検診台の図５と同じ状態での右側面図である。
【図７】図５の検診台の、下半身支持部形成機構の水平状態での斜視図である。
【図８】図７の検診台の図７と同じ状態での右側面図である。
【図９】図７の検診台の下半身支持部形成状態での斜視図である。
【図１０】図９の検診台の図９と同じ状態での右側面図である。
【図１１】図２の検診台の下半身支持部形成機構附近の拡大図である。
【図１２】図４の検診台の下半身支持部形成機構附近の拡大図である。
【図１３】図６の検診台の下半身支持部形成機構附近の拡大図である。
【図１４】図１３の下半身支持部形成機構附近のロック解除状態での同様の右側面図である。
【図１５】図８の検診台の下半身支持部形成機構附近の拡大図である。
【図１６】図１５の下半身支持部形成機構附近の下半身支持部形成動作の開始直後の状態での同様の右側面図である。
【図１７】図１６の下半身支持部形成機構附近の下半身支持部形成動作の途中の状態での同様の右側面図である。
【図１８】図１０の検診台の下半身支持部形成機構附近の拡大図である。
【図１９】図１９の下半身支持部形成機構附近の下半身支持部形成解除動作の開始直後の状態での同様の右側面図である。
【図２０】図１１の下半身支持部形成機構の要部の拡大図である。
【符号の説明】
１　　　　婦人科用検診台
１１　　　座板本体（前側中間支持ユニット）
１２　　　背板
２１　　　腰板
３２ａ　　座板補助体兼用の股受け（脚受け）
３２ｂ　　座板補助体兼用の股受け（脚受け）
３４　　　座板
５１　　　マット状上半身支持部
５２　　　マット状下半身支持部
５３　　　前側支持ユニット
５４　　　後側中間支持ユニット
５５　　　後側支持ユニット
【図１】
2004135697.tif 000003
【図２】
2004135697.tif 000004
【図３】
2004135697.tif 000005
【図４】
2004135697.tif 000006
【図５】
2004135697.tif 000007
【図６】
2004135697.tif 000008
【図７】
2004135697.tif 000009
【図８】
2004135697.tif 000010
【図９】
2004135697.tif 000011
【図１０】
2004135697.tif 000012
【図１１】
2004135697.tif 000013
【図１２】
2004135697.tif 000014
【図１３】
2004135697.tif 000015
【図１４】
2004135697.tif 000016
【図１５】
2004135697.tif 000017
【図１６】
2004135697.tif 000018
【図１７】
2004135697.tif 000019
【図１８】
2004135697.tif 000020
【図１９】
2004135697.tif 000021
【図２０】
2004135697.tif 000022